(57)【要約】【課題】アフィリエイト広告を利用する広告主が広告を通じてキャンペーンを実施し、広告閲覧者を広告主の実店舗に誘導し、実店舗でのショッピングの決済をカード（クレジットカードやデビットカードや電子マネーカードなど）で行うように促し、カード番号を手がかりにして広告閲覧と売上データとを結びつけ、広告料の支払いと消費者への特典付与サービスを簡便に行うことができるビジネスモデルを、きわめて汎用性の高い多様な形態で容易に実施することができるようにする。【解決手段】カード決済総合ネットワークに、特定の広告主やカード会社や金融機関に依存することのない汎用的な機能モジュールとしてキャンペーン管理システムを新設し、このキャンペーン管理システムがアフィリエイト広告管理システムと連携することにより、個々の広告主が企画するキャンペーンによる上記ビジネスモデルを実施する。【選択図】図１
2015156180.tif 000002
【特許請求の範囲】
【請求項１】
つぎの事項（１）〜（７）により特定される方法。
（１）複数の加盟店端末と複数のカード会社システムや金融機関システムを結んでカード決済に伴う情報の中継および処理を行うカード決済総合ネットワークに設けられたキャンペーン管理システムが実行するコンピューティングの方法であること
（２）キャンペーン管理システムは、複数のキャンペーン要項と、複数のキャンペーン応募者記録を記憶手段に格納すること
（３）キャンペーン要項は、キャンペーンＩＤと、キャンペーンを実施する広告主およびこの広告主が提携している広告管理会社に対応した電文送り先識別情報と、複数の加盟店ＩＤと、キャンペーン実施期間とを対応づけすること
（４）キャンペーン応募者記録は、キャンペーンＩＤと、トラッキングキーと、カード番号を対応づけすること
（５）トラッキングキーは、広告媒体サイトを閲覧する利用者端末により広告が選択されたことを契機として当該利用者端末がアフィリエイト広告管理システムを介して当該広告にリンクする広告主サイトにリダイレクトされたプロセスで作成されてアフィリエイト広告管理システムに保存されている広告誘導記録を特定する情報であること
（６）キャンペーン管理システムは、加盟店端末の売上処理ごとに生成された複数の売上データと、前記記憶手段に格納されたキャンペーン要項およびキャンペーン応募者情報とを照合し、売上データ（ア）中の加盟店ＩＤと取引日時がキャンペーンＩＤ（イ）が付されているキャンペーン要項（ウ）中の加盟店ＩＤと一致するとともにキャンペーン実施期間に適合し、かつ、売上データ（ア）中のカード番号がキャンペーンＩＤ（イ）が付されているキャンペーン応募者記録（エ）のカード番号と一致する場合、売上データ（ア）とキャンペーン要項（ウ）とキャンペーン応募者記録（エ）を抽出すること
（７）キャンペーン管理システムは、キャンペーン応募者記録（エ）中のトラッキングキーと、売上データ（ア）中の売上金額とを含み、かつ、前記カード番号を含まない広告成果電文を作成し、当該電文をキャンペーン要項（ウ）中の前記電文送り先識別情報に基づいて送信すること
【請求項２】
請求項１に記載の方法であって、つぎの事項（８）（９）により特定される方法。
（８）キャンペーン管理システムは、会員認証情報とカード番号とを対応づけした情報を含む会員データベースを記憶手段に格納すること
（９）キャンペーン管理システムは、キャンペーン応募者の利用者端末から会員認証情報の入力を受け付け、当該会員認証情報に対応づけされているカード番号を会員データベースから抽出し、当該カード番号を含む前記キャンペーン応募者記録を作成すること
【請求項３】
請求項２に記載の方法であって、つぎの事項（10）により特定される方法。
（10）キャンペーン管理システムは、利用者端末と通信し、会員認証情報とカード番号とを対応づけして当該システムに預けるための会員登録用ウエブページを送信し、当該ウエブページに記入された会員認証情報とカード番号を取得して前記会員データベースに記録すること
【請求項４】
請求項１〜３のいずれかに記載の方法であって、つぎの事項（11）（12）（13）により特定される方法。
（11）キャンペーン管理システムは、キャンペーン応募者記録として、この応募者が関与した広告成果電文作成の元となる買物実績がまだ検知されていないか、すでに検知されているかを示す履歴情報を付加しておくこと
（12）キャンペーン管理システムは、ある買物実績による売上データとの関係であるキャンペーン応募者記録（ａ）に基づいて広告成果電文を作成する際、この応募者記録（ａ）の前記履歴情報が「まだ買物実績がない」ことを示していれば、広告成果電文中に「この応募者の買物による広告成果電文は初めてである」ということを示す情報を付加すること
（13）キャンペーン管理システムは、ある買物実績による売上データとの関係であるキャンペーン応募者記録（ａ）に基づいて広告成果電文を作成する際、この応募者記録（ａ）の前記履歴情報が「すでに買物実績が検知されている」ことを示していれば、広告成果電文中に「この応募者の買物による広告成果電文は初めてではない」ということを示す情報を付加すること
【請求項５】
請求項１〜３のいずれかに記載の方法であって、つぎの事項（14）により特定される方法。
（14）キャンペーン管理システムは、売上データ（ア）に基づいて広告成果電文を作成する際、売上データ（ア）中の加盟店ＩＤおよび取引日時の情報を広告成果電文に含めること
【請求項６】
請求項１〜５のいずれかに記載のコンピューティングの方法を実施するキャンペーン管理システム。
【発明の詳細な説明】
【技術分野】
【０００１】
我が国においては、多くの一般消費者がクレジットカードやデビットカードや電子マネーカードなどを用いた決済サービスを利用している。こうしたカードによる決済サービスは、株式会社ＮＴＴデータが運営する「ＣＡＦＩＳ」、株式会社日本カードネットワークが運営する「ＣＡＲＤＮＥＴ」、株式会社ジーピーネットが運営する「ＧＰｎｅｔ」といった大規模なバックボーンネットワーク（カード決済総合ネットワークと称する）を利用することにより実現されている。
【０００２】
周知のように、株式会社ＮＴＴデータの「ＣＡＦＩＳ」で代表されるカード決済総合ネットワークは、キャッシュカードなどの利用データを店舗からカード会社や金融機関などに中継するクラウドコンピューティングシステムであり、ショッピングやクレジットのデータを各金融機関などに振り分けて伝送し決済処理をするとともに、カード決済に伴う信用照会業務やカード決済後の売上処理業務などのさまざまな付帯業務サービスのコンピューティングも行っている。
【０００３】
カード決済総合ネットワークの構成および機能については、株式会社ＮＴＴデータが下記ＵＲＬにて発表している資料「ＣＡＦＩＳ  ＲＥＰＯＲＴ」にその全体像が概説されている。《http://www.google.co.jp/url?sa=t&rct=j&q=&esrc=s&frm=1&source=web&cd=1&ved=0CCUQFjAA&url=http%3A%2F%2Fsolution.cafis.jp%2Foutline%2Fpdf%2FCAFIS#REPORT.pdf&ei=XYj0UubID8avkAXur4HYDw&usg=AFQjCNH#ILkqXjiQ6-pSIdpBddRGTfz8Pw&sig2=0fMJwx3MVu214MZsb62oMA&bvm=bv.60799247,d.dGI》
【０００４】
この発明は、広告媒体サイトに掲載された広告を見た人を広告主サイトに誘導し、その広告主サイトでの案内により実店舗での購買行動に誘導することを意図した、オンラインツーオフライン（Ｏ２Ｏ）指向のアフィリエイト広告のコンピューティングに関する。
【０００５】
この発明は、上記のカード決済総合ネットワークに付設した機能モジュール（キャンペーン管理システムと称する）とアフィリエイト広告管理システムとが協働するコンピューティングにより、上述したＯ２Ｏ指向のアフィリエイト広告を実施できるようにする情報処理の仕組みに関する。
【背景技術】
【０００６】
＝＝＝Ｏ２Ｏ指向アフィリエイト広告＝＝＝
特許第４０９７６８２号公報には、Ｏ２Ｏ指向アフィリエイト広告の代表的な発明「ペイパービジット広告システム」が詳細に記載されている。この発明においては、実店舗を訪れた利用者が自分の携帯端末にバナー広告経由で広告主ページを表示させてページ上の来店ボタンを選択することにより、携帯端末のＧＰＳ機能を利用した仕組みやその他の仕組みで、広告管理システムが利用者が広告主の実店舗にいることを確認した上で、利用者にクーポンやポイントなどの特典を与えるとともに、バナー広告掲載者に成功報酬としての広告料を支払うためのコンピューティングを行う。
【０００７】
この方式は、広告を見た人が実店舗にいることの確証を得る技術としてきわめて有効である。しかしながら、実店舗の店頭において、利用者が自分の携帯端末にバナー広告経由で広告主ページを表示させて来店ボタンを選択するというプロセスが必須であり、携帯端末の店頭での操作を利用者に強いるという点において不便であるとともにサービス適用範囲が狭く、携帯端末を持たずに買物にきた人はサービスを受けられない。
【０００８】
利用者の携帯端末を使用する上記と同様なＯ２Ｏ指向アフィリエイト広告の発明が、出願人が取得した特許第５２１０７０７号公報「携帯アフィリエイト・トラッキングシステム」に記載されている。また、出願人らが取得した特許第５３５５１９８号公報「実店舗アフィリエイトシステムのコンピューティングの方法」には、商品パッケージに添付したＱＲコード(登録商標)の情報を利用して広告閲覧者と商品購入者の関連性を追跡する仕組みのＯ２Ｏ指向アフィリエイト広告の発明が記載されている。
【０００９】
これらの発明はそれぞれに有意義な特徴を備えているところ、広告閲覧者と商品購入者の関連性を追跡する仕組みにやや難点があり、広告主にとっても消費者にとっても煩雑さが残されていた。
【００１０】
＝＝＝アフィリエイト広告を掲載したポイントサイト＝＝＝
典型例として、全日本空輸株式会社がインターネット上で運営するポイントサイト「ＡＮＡマイレージモール」《http://www.ana.co.jp/amc/reference/tameru/mileagemall/》においては、以下のようなサービスが実施されている。なお同様なサービス内容のポイントサイトがインターネット上に複数存在している。
【００１１】
（１）ポイントサイトは、複数のアフィリエイト広告管理会社と提携して運営されている。
（２）消費者は、ポイントサイトにて会員登録をする。登録した会員情報では、会員番号と、航空会社場合には航空マイレージＩＤ、クレジットカード会社の場合にはクレジットカード番号とが対応づけされている。
（３）ポイントサイトには、多数の加盟店ＥＣサイトの広告が掲載されており、各掲載広告は、該当のアフィリエイト広告管理システムを介して、それぞれ加盟店ＥＣサイトにリンクしている。
【００１２】
（４）ポイントサイトを見ている会員が広告をクリックしてある加盟店ＥＣサイトに行こうとすると、ポイントサイトは会員に所定の手続を行わせてから広告主サイトに導く。このプロセスで当該広告に対応するアフィリエイト広告管理システムにおいて、会員番号Ａの会員が広告Ｂを見て加盟店番号ＣのＥＣサイトに行ったという広告誘導記録とトラッキングキーが作成される。
【００１３】
（５）番号Ａの会員が番号ＣのＥＣサイトに行って金額Ｙの買物をした。
（６）ＥＣサイトのシステムは、広告により誘導された顧客がＥＣサイトで金額Ｙの買物をしたという買物記録を作成し、これを前記アフィリエイト広告管理システムにトラッキングキーと併せて送信する。
【００１４】
（７）アフィリエイト広告管理システムは、広告誘導記録と買物記録とを照合し、ポイントサイトに掲載されていた広告Ｂを見た番号Ａの会員が番号ＣのＥＣサイトで金額Ｙの買物をしたという事実を確認してポイントサイト運営者に報告し、広告Ｂの広告主からポイントサイト運営者に金額Ｙに応じた広告料を支払う事務処理を行う。
（８）ポイントサイトは、広告主から得た広告料を原資として、番号Ａの会員に金額Ｙに応じたポイントを付与する。
【００１５】
＝＝＝上記ポイントサイトの利点および課題＝＝＝
上記のようにアフィリエイト広告管理会社との連携を前提として運営されているポイントサイトのサービスは、背景では、アフィリエイト広告管理会社が発行するトラッキングキーを手がかりにしてポイントサイトでの広告閲覧者と広告主ＥＣサイトでの購買者とを結びつけることで実現している。消費者は、ポイントサイトで会員登録した後は、広告を見てショッピングをするだけでポイントを貯めることができるので簡便である。したがって原理的には、このサービスを広告主ＥＣサイトに限定せず、広告主の実店舗にも適用することが可能である。つまり、このポイントサービスの仕組みはＯ２Ｏ指向アフィリエイト広告にも拡張可能な仕組みであるといえる。
【００１６】
しかしながら、実店舗での購買をトラッキングするためには、さきに説明した特許発明と同様に、たとえばＰＯＳレジにてトラッキングキーに紐づいたクーポンやバーコードを読み取り、そのトラッキング情報と売上金額を含む買物情報をアフィリエイト広告管理会社に送付するような仕組みを構築しなければならない。そのためには大規模なシステム開発が必要になるとともに、運用面においても通常のＰＯＳレジオペレーション以外の作業が必要となるなど、Ｏ２Ｏ指向実店舗アフィリエイトの仕組みを導入する際のハードルが高いため、現状ではほとんど普及していない。
【００１７】
＝＝＝クレジットカード会社が主導するポイントサイト＝＝＝
上述したＰＯＳレジまわりのシステム改修や特別な読取端末を必要としないで、実店舗での購買にも割増ポイントが獲得できる手法として、キャンペーン応募に伴ってクレジットカード番号を登録するカードリンクドオファーというサービスも普及しはじめた。
【００１８】
典型例として、三井住友カード株式会社がインターネット上で運営するポイントサイト「ポイントＵＰモール」《http://mall.smbc-card.com/real/》においては、以下のようなサービスが実施されている。なお同様なサービス内容のクレジットカード会社関連のポイントサイトがインターネット上に複数存在している。
【００１９】
（１）ポイントサイトは、特定のクレジットカード会社と提携して運営されている。
（２）消費者は、ポイントサイトにて会員登録をする。登録した会員情報には、会員番号と、クレジットカード番号（特定のクレジットカード会社のもの）が含まれている。
（３）ポイントサイトには、多数の加盟店（実店舗である）の広告が掲載されており、各掲載広告は、キャンペーン応募ページにリンクしている。
【００２０】
（４）ポイントサイトを見ている会員が広告をクリックしてある加盟店のキャンペーン応募ページにてキャンペーンに応募する。このプロセスでクレジットカード会社のカードリンクドオファー管理システムにおいて、会員番号Ａの会員が広告Ｂを見て加盟店番号Ｃのキャンペーンに応募したという記録（キャンペーン応募記録）が作成される。
【００２１】
（５）番号Ａの会員が番号Ｃの加盟店に行って番号Ｘのクレジットカードを使って金額Ｙの買物をした。
（６）クレジットカード会社の決済システムは、カード決済総合ネットワークを介して取得する多数のクレジットカード決済情報の中から、キャンペーン参加店舗の決済情報を抽出して、番号Ａの会員が番号Ｃの実店舗で金額Ｙの買物をしたという買物記録を作成し、これをカードリンクドオファー管理システムに送信する。
【００２２】
（７）クレジットカード会社のカードリンクドオファー管理システムは、キャンペーン応募記録と買物記録とを照合し、ポイントサイトに掲載されていた広告Ｂを見てキャンペーンに応募した番号Ａの会員が番号Ｃの実店舗で番号Ｘのカードで金額Ｙの買物をしたという事実を確認してポイントサイト運営者および広告主に報告し、広告Ｂの広告主からポイントサイト運営者に金額Ｙに応じた広告料を支払う事務処理を行う。
（８）ポイントサイトは、広告主から得た広告料を原資として、番号Ａの会員に金額Ｙに応じたポイントを付与する。
【００２３】
＝＝＝カード会社主導ポイントサイトの利点と課題＝＝＝
上記のようにクレジットカード会社との連携を前提として運営されているポイントサイトのサービスは、背景では、会員のクレジットカード番号を手がかりにしてポイントサイトでの広告閲覧者と広告主の実店舗での購買者とを結びつけることで実現している。消費者は、ポイントサイトで会員登録した後は、広告を見てクレジットカード決済でショッピングをするだけでポイントを貯めることができるので簡便である。まさに、Ｏ２Ｏを意図してカード会社が主体となってプラットフォームを構築したカードリンクドオファー広告の典型例であるといえる。
【００２４】
しかしながら、ポイントサイトとともに上記サービスを実施するクレジットカード会社が主体となり、ポイントサイトの会員登録情報および消費者のカード利用情報に基づいて上述した買物記録を作成し、キャンペーン応募記録と買物記録を照合して広告料およびポイントの処理を行うコンピューティングシステムを構築することが必須であるので、上記サービスはクレジットカード会社が独自に実施するビジネスモデルに限定されることになる。
【発明の開示】
【００２５】
＝＝＝発明の目的＝＝＝
この発明の基本的な目的は、アフィリエイト広告を利用する広告主が広告を通じてキャンペーンを実施し、広告閲覧者を広告主の実店舗に誘導し、実店舗でのショッピングの決済をカード（クレジットカードやデビットカードや電子マネーカードなど）で行うように促し、カード番号を手がかりにして広告閲覧と売上データとを結びつけ、広告料の支払いと消費者への特典付与サービスを簡便に行うことができるビジネスモデルを実現することにある。
【００２６】
この発明のより具体的な目的は、上記ビジネスモデルを実施するにあたり、カード決済総合ネットワーク（ＣＡＦＩＳなど）に接続している個々のカード会社システムや金融機関システムに特別な新規システムを構築する必要のない、業者横断的な汎用性の高い仕組みとすることにある。
【００２７】
＝＝＝発明の概要＝＝＝
この発明においては、カード決済総合ネットワークに、特定の広告主やカード会社や金融機関に依存することのない汎用的な機能モジュールとしてキャンペーン管理システムを新設し、このキャンペーン管理システムがアフィリエイト広告管理システムと連携することにより、個々の広告主が企画するキャンペーンによる上記のビジネスモデルを実施できるようにした。以下では、この発明の核心となるコンピューティングの論理構成を具体的な実施例とともに詳細に説明する。
【図面の簡単な説明】
【００２８】
【図１】この発明のアフィリエイト広告ビジネスモデルに関わる構成員の概要
【図２】キャンペーン管理システム６が管理する情報の一例
【発明を実施するための形態】
【００２９】
＝＝＝Ｏ２Ｏ指向アフィリエイト広告のビジネスモデルの一例＝＝＝
この発明が意図するＯ２Ｏ指向アフィリエイト広告を活用したビジネスモデルは、たとえば、つぎのような要素により成立するものである。
【００３０】
（ア）広告主は、たとえばチェーン展開している多数の実店舗を経営しており、それら実店舗ではクレジットカードやデビットカードや電子マネーカードなどの決済用カードによる決済サービスを実施している。したがって、広告主実店舗のＰＯＳレジ端末には決済用カードを取り扱う加盟店端末や読取装置が付加されており、それら加盟店端末ならびにＰＯＳレジ管理サーバーが、株式会社ＮＴＴデータが運営するＣＡＦＩＳを典型例とする、前述したカード決済総合ネットワークに接続している。
【００３１】
（イ）広告主は、つぎのような販促用のキャンペーンを企画し、たとえば出願人のようなアフィリエイト広告管理会社を通じて、インターネット上のアフィリエイト広告によって一般消費者に向けてキャンペーンの宣伝をする。キャンペーンの内容は、一般消費者（利用者）が広告主に係る実店舗においてクレジットカードやデビットカードや電子マネーカードなどの決済用カードにより所定期間内に買物をした場合、消費者（利用者）に対して売上金額に応じて所定の特典が与えられるとするものである。
【００３２】
（ウ）上記のキャンペーン広告がインターネット上のなんらかの広告媒体サイトのウエブページに掲載される。この広告媒体サイトのウエブページを閲覧している利用者端末において上記キャンペーン広告がクリックされると、利用者端末は広告主サイトにリダイレクトされて上記キャンペーンの詳細情報を伝えるキャンペーンページを見ることになる。
【００３３】
（エ）キャンペーンページを閲覧する利用者端末によりキャンペーンに応募するための手続が取られる。
（オ）キャンペーン応募手続を済ませた利用者が、キャンペーン実施期間内に広告主実店舗を訪れてショッピングをし、カード決済により買物代金を支払った。
【００３４】
（カ）以下に詳述するこの発明に係るキャンペーン管理システムが、アフィリエイト広告管理会社が運営するアフィリエイト広告管理システムと協働したコンピューティングによって、キャンペーン応募者が所定期間内に広告主実店舗においてカード決済でショッピングをしてその売上金額がいくらであった、という事実を補足する。
【００３５】
（キ）アフィリエイト広告管理システムは、上記の事実に関し、上記広告媒体サイトに掲載されていた上記キャンペーン広告により広告主サイトに誘導された利用者が広告主実店舗で売上金額分のショッピングをしたという広告成果情報を得ることになる。
（ク）上記の広告成果に基づいて、広告主から広告媒体サイト運営者に広告料を支払うためのコンピューティングと、利用者に特典を付与するためのコンピューティングがアフィリエイト広告管理システムが主体となって行われる。
【００３６】
＝＝＝ビジネスモデル構成員の整理＝＝＝
以上のビジネスモデルに関わる構成員を整理して図解すると図１のように表現することができる。周知のように、カード決済総合ネットワーク１により、クレジットカードやデビットカードや電子マネーカードなどを発行している複数のカード会社システム２と、カード決済に関わる銀行などの複数の金融機関システム３と、多数の実店舗におけるＰＯＳレジ端末４に付設された加盟店端末５が結ばれており、実店舗でのショッピングに伴う買物代金をクレジットカードやデビットカードや電子マネーカードなどによって決済する大規模なクラウドコンピューティングシステムが稼働している。
【００３７】
カード決済総合ネットワーク１の中央装置１２には、周知のように、加盟店端末５においてカード決済による売上処理ごとに生成された売上データが集積される。この発明に係るキャンペーン管理システム６は、カード決済総合ネットワーク１に付設されて中央装置１２と接続されたコンピューティングシステムである。
【００３８】
周知のように、インターネット上には複数の広告媒体サイト７が存在する。出願人のようなアフィリエイト広告管理会社が運営するアフィリエイト広告管理システム８の管理下で、広告媒体サイト７のウエブページに広告が掲載される。なお周知のとおり、アフィリエイト広告管理会社は複数あり、それぞれの会社が独自のアフィリエイト広告管理システムを運営し、独自の営業活動をしている。
【００３９】
広告主は、任意のアフィリエイト広告管理会社と提携し、適宜な広告媒体サイト７に広告を掲載してもらう。その広告の１つに、上述したキャンペーン広告がある。また広告主は、インターネット上に広告主サイト９を開設しており、このサイト９において上記のようなキャンペーンの詳細情報を伝えるキャンペーンページを掲示する。
【００４０】
一般消費者（利用者）は、パソコンやタブレット端末やスマートフォンなどの利用者端末１０を用いてインターネットにアクセスしてウエブサーフィンをし、広告媒体サイト７のウエブページを見たり、そこに掲載されていた広告をクリックすることにより広告主サイト９にリダイレクトされたり、さらには、キャンペーン管理システム６のウエブページにリダイレクトされたりする。
【００４１】
キャンペーン管理システム６は、広告主サイト９を開設している広告主のコンピューター（広告主システム１１とする）と通信し、広告主が企画したキャンペーンに関する情報（キャンペーン要項）を受け付ける。
【００４２】
キャンペーン管理システム６は、あるキャンペーンに応募しようとする利用者の利用者端末１０と通信し、キャンペーン応募に必要となる情報を受け付ける。
【００４３】
キャンペーン管理システム６は、アフィリエイト広告管理システム８と通信し、キャンペーン応募者がキャンペーンに関わるショッピングをしたことを知らせる広告成果電文を送信する。
【００４４】
＝＝＝キャンペーン管理システム６が管理する情報＝＝＝
● 会員データベース６１
キャンペーン管理システム６が管理する情報を図２に図解している。キャンペーン管理システム６は、会員データベース６１を備えている。会員とは、自分が使用するクレジットカードやデビットカードや電子マネーカードなどのカード番号をカード決済総合ネットワーク１に付設されたキャンペーン管理システム６に対して告知し（複数のカード番号を告知してもよい）、告知したカード番号と任意に設定した認証情報（ＩＤとパスワード）とを対応づけしてカード決済総合ネットワーク１（キャンペーン管理システム６）に預けている利用者（一般消費者）である。これをカード番号預かり会員と称することにする。
【００４５】
カード決済総合ネットワーク１においては、カード決済に関連した各種の情報処理サービスが付加的に実施されており、そのようなサービスの中には、サービスを利用する際に利用者のカード番号をネットワーク１に知らせる必要があるものがある。カード番号預かり会員は、そのようなサービス利用に際して利用者端末からカード番号を入力する必要がなく、代わりに、上述したＩＤ・パスワードを入力すればよい。ネットワーク１は受け付けたＩＤ・パスワードに対応するカード番号を会員データベース６１から抽出して処理を進める。
【００４６】
● キャンペーン要項テーブル６２
前述したように、キャンペーンを実施する広告主は複数存在することが前提であり、また広告主がキャンペーン実施に際して利用するアフィリエイト広告管理会社も複数存在することが前提となっている。そして、広告主（キャンペーン実施者）および提携する広告管理会社が異なる複数のキャンペーンが同じ時期に実施されることを前提とし、この発明のキャンペーン管理システム６は、それらキャンペーンごとのキャンペーン要項に基づいて後述する処理を実行するものである。
【００４７】
キャンペーンを実施するに際して広告主は、広告主システム１１によりキャンペーン管理システム６のキャンペーン要項受け付けサイトにアクセスし、キャンペーンに関する情報を入力する。その情報を受け付けたキャンペーン管理システム６は、下記の情報を含んだキャンペーン要項を作成し、キャンペーン要項テーブル６２に集約して記憶管理するとともに、キャンペーンＩＤを広告主システム１１に知らせる。
１．キャンペーンＩＤ
２．キャンペーン実施者（広告主）が提携するアフィリエイト広告管理システム８を        特定可能な情報（ここでは広告管理会社ＩＤとする）
３．上記広告管理会社ＩＤのシステム８においてキャンペーン実施者（広告主）を特        定可能な情報（ここでは広告主ＩＤとする）
４．キャンペーンに参加する広告主実店舗の加盟店ＩＤ（複数ある）
５．キャンペーン実施期間
【００４８】
● キャンペーン応募者記録テーブル６３
つぎに詳しく説明する広告誘導プロセスを経て、利用者端末１０を操作する利用者が、広告媒体サイト７ → 広告クリック → アフィリエイト広告管理システム８ → 広告主サイト９のキャンペーン応募ページ → キャンペーン管理システム６のカード番号告知ページと進んで所定の手続をすると、キャンペーン管理システム６につぎの情報を含んだキャンペーン応募者記録が生成され、キャンペーン応募者記録テーブルに集約される。
１．キャンペーンＩＤ
２．トラッキングキー
３．カード番号（複数あってもよい）
【００４９】
＝＝＝広告誘導プロセス＝＝＝
一般的なアフィリエイト広告と同様に、ある広告主が実施するキャンペーン広告がインターネット上のある広告媒体サイト７のウエブページに掲載されており、この広告媒体サイト７のウエブページを閲覧している利用者端末１０において上記キャンペーン広告がクリックされると、利用者端末１０は、当該広告にリンクするアフィリエイト広告管理システム８を介して、当該広告にリンクする広告主サイト９にリダイレクトされて上記キャンペーンの詳細情報を伝えるキャンペーンページを見ることになる。
【００５０】
上記の広告誘導プロセスにおいて、アフィリエイト広告管理システム８は、上記の広告媒体サイト７を特定可能な情報（広告媒体サイトＩＤとする）と、上記のクリックされた広告を特定可能な情報（広告ＩＤとする）を少なくとも含んだ広告誘導記録を作成し、これにユニーク番号（トラッキングキー）を付して保存するとともに、このトラッキングキーをパラメータとして付加したＵＲＬにより利用者端末１０をキャンペーン管理システム６にリダイレクトする。
【００５１】
キャンペーン管理システム６は利用者端末１０がリダイレクトされてきたことにより前記トラッキングキーを取得し、このトラッキングキーをクッキーとして利用者端末１０に書き込むとともに、利用者端末１０を広告主サイト９にリダイレクトする。このような隠れたプロセスを経て、広告をクリックした利用者端末１０に広告主サイト９のキャンペーンページが表示される。
【００５２】
＝＝＝キャンペーン応募プロセス＝＝＝
利用者端末１０には広告主サイト９の上記キャンペーンページが表示され、利用者がこれを見てキャンペーン応募の手続のための入力をすると、利用者端末１０はキャンペーン管理システム６のキャンペーン応募受付ページにリダイレクトされる。利用者は、このキャンペーン応募受付ページを見て、前述したカード番号預かり会員のＩＤ・パスワードを入力する。
【００５３】
キャンペーン管理システム６は、カード番号預かり会員のＩＤ・パスワードを受け付けると、前述の会員データベース６１からこのキャンペーン応募者のカード番号を抽出することができる。なお、ブラウザを識別するクッキーや利用者端末を識別する端末ＩＤを利用することにより利用者が一度入力して記憶してあるＩＤ・パスワードを特定し、ＩＤ・パスワードの再入力を省略する周知慣用の方式をこのプロセスに採用することができる。
【００５４】
また、利用者端末１０がキャンペーン管理システム６にリダイレクトされてきて通信する上記プロセスにおいて、キャンペーン管理システム６は利用者端末１０にクッキーとして保持されている前記トラッキングキーを読み取る。このように利用者端末１０を追跡するコンピューティングは、たとえば特許第４６４７７１７号公報に詳しく記載されており、現在一般的に実施されているトラッキング方式と同様である。
【００５５】
以上のキャンペーン応募プロセスが行われることにより、キャンペーン管理システム６は、利用者が応募したキャンペーンを特定する情報（キャンペーンＩＤ）と、上記トラッキングキーと、利用者のカード番号とを取得したことになり、この情報セットを前述したキャンペーン応募者記録としてテーブル６３に記載する。ここで繰り返しになるが、キャンペーン応募者記録におけるトラッキングキーは、この応募者が当該キャンペーンの広告を見た広告媒体サイト７を特定可能な情報（広告媒体サイトＩＤ）と、クリックした広告を特定可能な情報（広告ＩＤ）を含んだ前記広告誘導記録（アフィリエイト広告管理システム８に保存されている）に付されているユニーク番号である。
【００５６】
＝＝＝売上データの照合プロセス＝＝＝
キャンペーン応募者が、その後、キャンペーン対象実店舗にてショッピングをし、カード番号を上述のようにキャンペーン管理システム６に預けてある決済用カードで買物代金を決済した。そうしたカード決済処理に対応して、該当の加盟店端末５で作成された売上データがカード決済総合ネットワーク１の中央装置１２に届いて集積される。
【００５７】
周知のように、カード決済総合ネットワーク１の中央装置１２に集積される売上データは、当該カード決済を処理した加盟店端末５を特定可能な加盟店ＩＤと、当該カード決済に用いられた決済用カードのカード番号と、当該カード決済による売上金額と、当該カード決済による買物が行われた取引日時の情報を含んでいる。
【００５８】
キャンペーン管理システム６は、キャンペーン決済総合ネットワーク１の中央装置１２に集積される売上データと、キャンペーン要項テーブル６２およびキャンペーン応募者記録テーブル６３の内容とを照合することで、あるキャンペーンに応募した消費者がそのキャンペーン期間内にそのキャンペーン対象である加盟店でショッピングをしたという事実を捕捉し、その事実に関する売上データとキャンペーン要項とキャンペーン応募者記録を抽出する。キャンペーン管理システム６は、一例として、つぎのような手順で上記の照合処理のコンピューティングを実行する。
【００５９】
ある１個の売上データ中の加盟店ＩＤおよび取引日時に着目し、テーブル６２に登録されている複数個のキャンペーン要項中の加盟店ＩＤおよびキャンペーン実施期間と対比して、当該売上データがいずれかのキャンペーン要項に該当する売上データであるか否かを調べる。ここでは、ある売上データ（ア）がキャンペーンＩＤ（イ）が付されているキャンペーン要項（ウ）に該当したとする。
【００６０】
つぎに上記の売上データ（ア）中のカード番号に着目するとともに、テーブル６３に記録されている多数のキャンペーン応募者記録の中でキャンペーンＩＤ（イ）が付されているキャンペーン応募者記録を調査対象としてそれら応募者記録中のカード番号に着目し、前者のカード番号と同じカード番号が記載された応募者記録があるか否かを調べる。ここでは、売上データ（ア）中のカード番号と、キャンペーンＩＤ（イ）が付されているキャンペーン応募者記録（エ）中のカード番号が一致したとする。
【００６１】
以上の例においてキャンペーン管理システム６は、売上データ（ア）とキャンペーン要項（ウ）とキャンペーン応募者記録（エ）に基づいて、つぎの情報を含み、かつ、上記のカード番号を含まない広告成果電文を作成する。
● キャンペーン要項（ウ）中の広告主ＩＤ
● キャンペーン応募者記録（エ）中のトラッキングキー
● 売上データ（ア）中の売上金額
【００６２】
キャンペーン管理システム６は、作成した広告成果電文をキャンペーン要項（ウ）中の広告管理会社ＩＤに該当するアフィリエイト広告管理システム８に宛てて送信する。この広告成果電文を受信したアフィリエイト広告管理システム８は、当該広告成果電文中のトラッキングキーに基づいて、当該広告成果電文に対応する広告誘導記録を特定することができる。
【００６３】
上記の特定により、アフィリエイト広告管理システム８において、利用者がどの広告媒体サイト７でどの広告をクリックしてどの広告主が実施しているキャンペーンに応募して広告主実店舗にて売上金額いくらのショッピングをしたという事実を把握することができる。このことに基づいて、アフィリエイト広告管理システム８は、周知のように広告主から広告媒体サイト運営者に売上金額に応じた広告料を支払う事務処理コンピューティングを行うとともに、広告主からの広告料を原資としてキャンペーン対象のショッピングをした利用者に対して特典を付与するためのコンピューティングを行うことができる。
【００６４】
広告成果電文の送付方式はつぎのようにしてもよい。キャンペーン管理システム６において、上記の広告管理会社ＩＤと広告主ＩＤにより1つの宛先が特定される論理構造の宛先情報テーブルを備えておく。そして上記の例では、キャンペーン応募者記録（エ）中のトラッキングキーと売上データ（ア）中の売上金額を含んだ広告成果電文を作成し、当該電文を、キャンペーン要項（ウ）中の広告管理会社ＩＤと広告主ＩＤで特定される宛先に送付するようにする。
【００６５】
なお、広告媒体サイトが前述したようなポイントサイトである場合、広告主がポイントサイトと協働して利用者（ポイントサイトの会員）に特典としてのポイントを付与する周知のビジネスモデルを採用してもよく、そのためのコンピューティングをアフィリエイト広告管理サイトとポイントサイトのシステムとで周知のように処理することができる。
【００６６】
＝＝＝望ましい他の実施形態＝＝＝
キャンペーン応募者記録として、この応募者が関与した広告成果電文作成の元となる買物実績がまだ検知されていないか、すでに検知されているかを示す履歴情報を付加しておく実施形態を採用することができる。
【００６７】
この実施形態を採用した場合、ある買物実績による売上データとの関係であるキャンペーン応募者記録（ａ）に基づいて広告成果電文を作成する際、この応募者記録（ａ）の前記履歴情報が「まだ買物実績がない」ことを示していれば、広告成果電文中に「この応募者の買物による広告成果電文は初めてである」ということを示す情報を付加する。また、応募者記録（ａ）の前記履歴情報が「すでに買物実績が検知されている」ことを示していれば、広告成果電文中に「この応募者の買物による広告成果電文は初めてではない」ということを示す情報を付加する。
【００６８】
そうすれば、アフィリエイト広告管理システム８の側で、あらかじめ決めてあるアルゴリズムに従って、初めての広告成果電文と２回目以降の広告成果電文とで広告料や利用者への特典の処理方式を異ならせることができる。
【００６９】
キャンペーン応募者記録に付加する前記の履歴情報をさらに発展させ、広告成果電文を作成する際、該当のキャンペーン応募者記録に、該当の売上データ中の加盟店ＩＤや売上金額や取引日時の情報を適宜に含めた買物実績情報を付加することとし、この買物実績情報に基づく応募者の行動履歴情報を広告成果電文に含めてアフィリエイト広告管理システム８に伝えるようにすることができる。そうすれば、その行動履歴情報を広告料支払い処理や利用者への特典付与処理に反映させることができる。
【００７０】
同様な趣旨により、キャンペーン管理システムは、売上データ（ア）に基づいて広告成果電文を作成する際、売上データ（ア）中の加盟店ＩＤおよび取引日時の情報を広告成果電文に含めるという方式も、アフィリエイト広告管理システム８における後処理の内容を充実させることに有意義である。
【００７１】
また、キャンペーン管理システムは、利用者端末と通信し、会員認証情報とカード番号とを対応づけして当該システムに預けるための会員登録用ウエブページを送信し、当該ウエブページに記入された会員認証情報とカード番号を取得して前記会員データベースに記録する処理を行うこととする。
【００７２】
＝＝＝発明の特定事項＝＝＝
以上の説明から明らかなように、この発明は、基本的に、つぎの事項（１）〜（７）により特定される方法であると把握することができる。
【００７３】
（１）複数の加盟店端末と複数のカード会社システムや金融機関システムを結んでカード決済に伴う情報の中継および処理を行うカード決済総合ネットワークに設けられたキャンペーン管理システムが実行するコンピューティングの方法であること
（２）キャンペーン管理システムは、複数のキャンペーン要項と、複数のキャンペーン応募者記録を記憶手段に格納すること
【００７４】
（３）キャンペーン要項は、キャンペーンＩＤと、キャンペーンを実施する広告主およびこの広告主が提携している広告管理会社に対応した電文送り先識別情報と、複数の加盟店ＩＤと、キャンペーン実施期間とを対応づけすること
（４）キャンペーン応募者記録は、キャンペーンＩＤと、トラッキングキーと、カード番号を対応づけすること
【００７５】
（５）トラッキングキーは、広告媒体サイトを閲覧する利用者端末により広告が選択されたことを契機として当該利用者端末がアフィリエイト広告管理システムを介して当該広告にリンクする広告主サイトにリダイレクトされたプロセスで作成されてアフィリエイト広告管理システムに保存されている広告誘導記録を特定する情報であること
【００７６】
（６）キャンペーン管理システムは、加盟店端末の売上処理ごとに生成された複数の売上データと、前記記憶手段に格納されたキャンペーン要項およびキャンペーン応募者情報とを照合し、売上データ（ア）中の加盟店ＩＤと取引日時がキャンペーンＩＤ（イ）が付されているキャンペーン要項（ウ）中の加盟店ＩＤと一致するとともにキャンペーン実施期間に適合し、かつ、売上データ（ア）中のカード番号がキャンペーンＩＤ（イ）が付されているキャンペーン応募者記録（エ）のカード番号と一致する場合、売上データ（ア）とキャンペーン要項（ウ）とキャンペーン応募者記録（エ）を抽出すること
【００７７】
（７）キャンペーン管理システムは、キャンペーン応募者記録（エ）中のトラッキングキーと、売上データ（ア）中の売上金額とを含み、かつ、前記カード番号を含まない広告成果電文を作成し、当該電文をキャンペーン要項（ウ）中の前記電文送り先識別情報に基づいて送信すること
【００７８】
＝＝＝発明の効果＝＝＝
この発明によれば、アフィリエイト広告を利用する広告主が広告を通じてキャンペーンを実施し、広告閲覧者を広告主の実店舗に誘導し、実店舗でのショッピングの決済をカード（クレジットカードやデビットカードや電子マネーカードなど）で行うように促し、カード番号を手がかりにして広告閲覧と売上データとを結びつけ、広告料の支払いと消費者への特典付与サービスを簡便に行うことができるビジネスモデルを、きわめて汎用性の高い多様な形態で容易に実施することができるようになる。
【００７９】
手がかりとなるカード番号はカード決済総合ネットワーク（ＣＡＦＩＳなど）内にとどまり、ネットワーク外に流出することはないので、一般消費者は安心してキャンペーンに応募し、実店舗ショッピングにより特典を受けることができる。
【００８０】
上述したようなＯ２Ｏ指向アフィリエイト広告のビジネスモデルを実施するにあたり、カード決済総合ネットワーク（ＣＡＦＩＳなど）に接続している個々のカード会社システムや金融機関システムに特別な新規システムを構築する必要がなく、業者横断的な汎用性の高い仕組みで多様なビジネスモデルを実施することができる。
【図１】
2015156180.tif 000003
【図２】
2015156180.tif 000004